(57)【特許請求の範囲】
【請求項１】
商品の消臭効果を視覚的にプレゼンテーションする方法において、二酸化窒素、塩素及び二酸化塩素からなる群から選択される有色気体雰囲気下に、上記商品そのもの若しくは上記商品の形態を模した、有色気体を吸着する多孔性物質を配置して、有色気体雰囲気における色が消失する様子を経時的に示すことによって、当該商品の消臭効果を真正にまたは擬似的に提示する方法（但し、透明部を介して内部の視認用具を目視することができると共に、空気浄化製品の内蔵と有害化学物質の封入を可能とする試験用具、及び有害化学物質や湿気の除去性能の異なる空気浄化製品を内蔵した複数の比較用試験用具を用いた空気浄化製品の販売促進方法を除く。）。
【請求項２】
商品の消臭効果を視覚的にプレゼンテーションする方法において、上記商品そのもの若しくは上記商品の形態を模した有色気体吸着多孔性物質を配置した有色気体雰囲気と当該有色気体吸着多孔性物質を配置しない有色気体雰囲気とで、有色気体雰囲気における色の経時的変化を対比することによって、当該商品の消臭効果を真正にまたは擬似的に提示する方法である請求項１記載の方法。
【請求項３】
（Ａ）(1)二酸化窒素、塩素及び二酸化塩素からなる群から選択される有色気体、及び(2) 商品そのもの若しくは商品の形態を模した、有色気体を吸着する物質、または
（Ｂ）(1)上記有色気体、(2)上記有色気体を吸着する多孔性物質、及び(3)密閉容器
を有する（但し、透明部を介して内部の視認用具を目視することができると共に、有害化学物質や湿気の除去作用を有する空気浄化製品の内蔵と有害化学物質の封入を可能とする試験用具を除く。）、請求項１または２に記載のプレゼンテーションを行うためのキット。
【発明の詳細な説明】
【技術分野】
【０００１】
本発明は、商品の消臭効果を視覚的にプレゼンテーションするための方法に関する。
【背景技術】
【０００２】
生活水準の向上に伴って、居室空間の臭気を除去する要望が高まっており、トイレ、キッチン、玄関、リビング等の様々な場所に消臭剤が使用されている。消臭剤の消臭効果については、現在、官能試験や、機器又は検知管を使用した定量試験が利用されている（例えば、特許文献1参照。）。
【０００３】
しかしながら、そのような官能試験や定量試験では、消臭剤の消臭効果を短時間に、しかも簡便にイメージで捉えることは困難である。例えば、テレビコマーシャルでは、コンピューターグラフィックを用いて消臭効果を擬似的に表しているが、この方法は具体性を帯びておらず信憑性に乏しいという欠点があり、また、店頭等で実際に行うプレゼンテーションに適さないという欠点もある。
【特許文献１】特開2001-220593号公報
【発明の開示】
【発明が解決しようとする課題】
【０００４】
本発明の目的は、商品の消臭効果を短時間にしかも簡便にイメージで捉えることができる方法を提供することである。
【課題を解決するための手段】
【０００５】
本発明は、下記の方法に関する。
【０００６】
１．商品の消臭効果を視覚的にプレゼンテーションする方法において、有色気体雰囲気下に、上記商品の形態を有する有色気体吸着物質を配置して、有色気体雰囲気における色が消失する様子を経時的に示すことによって、当該商品の消臭効果を真正にまたは擬似的に提示する方法。
【０００７】
２．商品の消臭効果を視覚的にプレゼンテーションする方法において、上記商品の形態を有する有色気体吸着物質を配置した有色気体雰囲気と当該有色気体吸着物質を配置しない有色気体雰囲気とで、有色気体雰囲気における色の経時的変化を対比することによって、当該商品の消臭効果を真正にまたは疑似的に提示する方法である上記項１記載の方法。
【０００８】
３．有色気体が、窒素酸化物である上記項１または２に記載する方法。
【０００９】
４．有色気体吸着物質が、多孔性物質である上記項１〜３のいずれかに記載の方法。
【００１０】
５．有色気体及び有色気体吸着物質、並びに必要に応じて密閉容器を有する、上記項１〜４のいずれかに記載のプレゼンテーションを行うためのキット。
【００１１】
本発明は、商品の消臭効果を視覚的にプレゼンテーションする方法に関する。
【００１２】
本発明のプレゼンテーション方法は、具体的には、有色気体の雰囲気下に、商品形態を有する有色気体吸着物質を配置して、当該有色気体雰囲気における色が消失する様子を経時的に示すことによって実施することができる。これによって、有色気体雰囲気下に配置された物の消臭効果を、観者（消費者、視聴者または観客）にイメージとして視覚的に提示することができる。
【００１３】
ここで有色気体雰囲気下に配置する物は、有色気体を吸着する性質を有するものであればよい。実際の商品（例えば、消臭剤や芳香消臭剤などの消臭効果を有する商品）が、消臭効果とともに有色気体を吸着する性質を有するものである場合は、実際の商品をその実際に使用される形態で用いることができる。しかし、商品の消臭効果を、従来のコンピューターグラフィックに代えて、視覚的にイメージとして提示するという本発明の目的からは、実際の商品そのものを用いる必要は必ずしもなく、観者に商品であると認識される限りおいて、有色気体を吸着する性質を有する物質（有色気体吸着物質）を商品に見立てて用いることもできる。具体的には、有色気体吸着物質を、例えば対象の商品形態に包装し、商品に模したものを用いることができる。また、実際の商品の一部に有色気体吸着物質を含ませておいてもよい。
【００１４】
すなわち、本発明において商品の消臭効果を真正に提示するとは、実際に市販される商品をその実施の使用形態で用いて、本発明のプレゼンテーションを行うことを意味し、また商品の消臭効果を擬似的に提示するとは、実際に市販される商品の代わりに有色気体吸着物質を商品の形態に包装するなどして商品形態を模倣した状態で用いて、本発明のプレゼンテーション方法を行うことを意味する。
【００１５】
有色気体
本発明において使用される有色の気体は、色を有する気体であればよく特に制限されない。有色の気体としては、例えば、二酸化窒素、フッ素、塩素、臭素、ヨウ素、二酸化塩素等を挙げることができる。また、タバコの煙、工場、焼却炉から排出される煙、自動車、バス、トラック等から排出される排気ガス等も有色気体に含めることができる。これらの中でも、二酸化窒素、塩素、二酸化塩素等が視覚的効果に優れているので、好適に用いられる有色気体である。さらに好ましくは二酸化窒素である。
【００１６】
本発明で使用する有色の気体は、市販のものを使用することができるし、公知の方法により製造することもできる。例えば、二酸化窒素は、銅と硝酸を反応させることにより得ることができる。
【００１７】
有色気体吸着物質
本発明において使用する有色気体吸着物質は、前述するように有色気体を吸着することができるものであればよく、特に限定されない。有色気体を吸着する物質としては、多孔性物質が好ましく、例えば、活性炭；備長炭；粘土等の無機原料と、ペーパースラッジ、籾殻、紙、木材片、稲わら等の有機材料とを混合して素焼状に炭化焼成したもの（特願2003-342700）；素焼状に焼成した粘土等の無機原料に前記有機材料を付着させたもの（特願2003-342699）；ゼオライト；シリカゲル；セピオライト；ベントナイト；硫酸マグネシウム等を挙げることができる。
【００１８】
好ましくは、褐色を有しておりプレゼンテーションにおける視覚的効果に優れている二酸化窒素に対して吸着効果の高い物質であることが望ましい。かかるものとしては、活性炭；備長炭；粘土等の無機原料と、ペーパースラッジ、籾殻、紙、木材片、稲わら等の有機材料とを混合して素焼状に炭化焼成したもの（特願2003-342700）；素焼状に焼成した粘土等の無機原料に前記有機材料を付着させたもの（特願2003-342699）等を挙げることができる。
【００１９】
プレゼンテーション方法
有色気体雰囲気下に対象の商品形態を有する有色気体吸着物質（対象商品そのもの、または対象商品形態を模したもの）を配置すると、有色気体は当該物質に吸着されて、有色気体雰囲気における色が経時的に消失していく。その色の消失変化の様子を、消費者、視聴者または観客等の観者に示すことにより、当該観者に、当該商品の消臭効果を視覚的にイメージとして提示することができる。
【００２０】
こうした本発明のプレゼンテーション方法は、有色気体の色の消失が視認できる条件下であれば、開放条件下で行っても、また閉鎖（密閉）条件下で行ってもよい。好ましくは閉鎖（密閉）条件下での実施である。閉鎖（密閉）条件下で行うほうが、有色気体雰囲気下における気体の流動がないため、色の消失過程をより正確且つ鮮明に観察することができ、また有色気体による臭いや着色等といった外部汚染を防止することができるからである。
【００２１】
閉鎖（密閉）条件下でプレゼンテーションを行う方法としては、簡便には密閉容器を使用する方法を挙げることができる。当該密閉容器は、内部に入れられた有色気体が容器の外に流出しないか又はほとんど流出しない程度に密閉性を有する容器であれば限定されない。さらに好ましくは、有色気体が密閉容器内部の表面に付着もしくは吸着しない素材のものであり、また容器内部が有色気体の付着／吸着を防止するための表面処理が施されたものであってもよい。さらに本発明では、商品の消臭効果を視覚的に（視覚を通じて）プレゼンテーションする必要があるので、密閉容器は、一部に透明若しくは半透明の窓を有するものであるか、または全てが透明又は半透明であることが必要である。
【００２２】
また、有色気体を鮮明に観察できるように、容器の少なくとも一面を着色したり、少なくとも一面に有色のものを貼り付けたりすることも可能である。
【００２３】
当該容器は有色気体及び有色気体吸着物質を出し入れすることができるようになっていることが必要であるが、その大きさや形状等は限定されない。かかる大きさや形状は、中に配置する商品形態を有する有色気体吸着物質の大きさや使用する有色気体の濃度等に応じて適宜選択することができる。例えば、箱状（立方体状、直方体状等）、円柱状、三角錐状、球状などの形状が例示できるが、これらに限定されない。容器の材質も、上記限りにおいて限定されず、ガラス、アクリル樹脂、プラスチック、ポリエチレン樹脂等が例示できる。また、上記容器の内表面をフッ素加工したり、フッ素加工した透明又は半透明シートで上記容器の内表面を覆ったりすることもできる。さらに、本発明において容器にはビニール袋、例えば、テトラーバック等の袋類も含み、その袋類が有色気体を密閉することができれば使用することができる。
【００２４】
密閉容器を用いて本発明プレゼンテーションを行う場合、まず、有色気体を密閉容器に封入して充填する。有色気体の封入／充填は、シリンジ等の道具を用いて行ってもよいし、当該気体を収容している容器から直接充填してもよい。次いで、当該容器内に商品形態を有する有色気体吸着物質を配置する。但し、密閉容器に有色気体と有色気体吸着物質を配置する順序は上記のものに限定されず、予め有色気体吸着物質を配置した密閉容器に有色気体を封入してもよい。
【００２５】
当該物質を上記の容器内に配置することにより、容器内の有色気体が当該物質に吸着され、経時的に容器内の色が消失していく。この経時的な色の変化（色の消失変化）を消費者、視聴者または観客等の観者に対して示すことにより、当該観者は当該商品の消臭効果を視覚的にイメージとして捉えることができる。
【００２６】
本発明の方法は、特に有色気体として窒素酸化物（好ましくは二酸化窒素）などのように比較的濃度の高い有色気体を用いる本発明の方法は、まず観者に有色気体の色を印象付けてから、当該色の消失の様子を短時間に顕著に示すことができるため、その内部に配置した商品（観者に商品そのものとして認識される商品形態を有するもの）の消臭効果を観者に強く印象付けることができる。
【００２７】
また、本発明のプレゼンテーションは、商品の形態を有する有色気体吸着物質（商品そのものまたはそれを模したもの）を配置した有色気体雰囲気における色の消失の経時的様子を、対照として有色気体吸着物質を配置しない有色気体雰囲気における様子と対比しながら示すことにより実施することもできる。この場合、対照の有色気体吸着物質を配置しない有色気体雰囲気下では有色気体の吸着による色消失がないので、商品（観者に商品そのものとして認識される商品形態を有する有色気体吸着物質）の消臭効果をより鮮明に観者に印象付けることができる。
【００２８】
かかる方法も、前述するように閉鎖（密閉）条件下で行うことが好ましい。具体的には、有色気体を封入／充填した密閉容器内に商品の形態を有する有色気体吸着物質を配置した場合と、有色気体を封入／充填した密閉容器内に商品の形態を有する有色気体吸着物質を配置しない場合（対照）とで、容器内の色の経時的変化の様子を対比的に示す。これによって、観者に対して有色気体吸着物質を配置した容器内の色の消失をより鮮明に提示することが可能となり、商品（観者に商品そのものとして認識される商品形態を有する有色気体吸着物質）の消臭効果をより強烈に観者に印象付けることができる。
【００２９】
２以上の容器に気体を充填する場合は、各容器において気体の量又は濃度が同等になるようにするのが好ましい。
【００３０】
なお、上記プレゼンテーションを行う際に、密閉容器に充填する有色気体の量又は濃度、有色気体吸着物質（対象商品または商品形態を模したもの）の大きさや形状等は限定されず、気体の種類、対象商品の大きさ、密閉容器の大きさ等に応じて適宜選択することができる。
【００３１】
キット
本発明において使用する、密閉容器、有色気体及び有色気体吸着物質は、キットとして使用することができる。これらをキットとすることにより、持ち運びも容易となり、様々な場所で迅速かつ簡便に上記の本発明の方法を実施することができる。
【発明の効果】
【００３２】
本発明のプレゼンテーション方法によれば、商品の消臭効果を迅速かつ簡便にイメージで捉えることができるので、ひいては消費者の購買意欲を高めることも可能である。
【発明を実施するための最良の形態】
【００３３】
以下、実施例を示し、本発明の特徴を一層明確にする。本発明はこれら実施例に限定されるものではない。
【実施例】
【００３４】
実施例１
300mlの三角フラスコ中に銅板（50mm×25mm×1mm；日本テストパネル大阪株式会社製JISH3100）を入れ、そこに硝酸を50ml加えた（試薬特級  和光純薬社製  Cat. No. 141-0136）。ただちに10Lのテドラーバッグ（GLサイエンス社製）に上記の三角フラスコを入れ、クリップ（GLサイエンス社製）で密閉した。
【００３５】
テドラーバッグ中に二酸化窒素（赤褐色）が充満するのを待ち（約10分程度）、ガラスシリンジ（200ml）を用いて、テドラーバッグ中の二酸化窒素をアクリルボックス中に500ml注入し、蓋を占めて密閉した。同様のアクリル容器をもう一つ用意した。
【００３６】
片方のアクリル容器には、有色気体吸着物質としてとして、素焼状に焼成した粘土にペーパースラッジを付着させたもの（特願2003-342699：「炭力（小林製薬株式会社製）」）を配置した。経時的に観察した容器内の色の変化を図1〜3に示す。図1は有色気体吸着物質を添加して0分後、図2は有色気体吸着物質を添加して15分後、図3は有色気体吸着物質を添加して30分後の状態、図4は有色気体吸着物質を添加して60分後の状態を示す。
【００３７】
これらの図より、有色気体吸着物質を配置した容器内の色が経時的に消失する様子が、明瞭に確認できた。従って、上記の方法によれば、商品の消臭効果を迅速かつ簡便にイメージで捉えることができるので、商品の消臭効果のプレゼンテーション方法に好適に用いることができる。
【００３８】
また上記の方法は、上記有色気体吸着物質に代えて任意の被験物質を用いることにより、当該被験物質の吸着性評価に利用することができ、これによって数多ある被験物質の中から吸着性を有する所望の物質を選別することができると考えられる。すなわち、上記方法は、吸着性物質のスクリーニング方法として好適に用いることができる。
【図面の簡単な説明】
【００３９】
【図１】実施例1において、有色気体吸着物質を添加して0分後の状態を示す。右図は、有色気体吸着物質を配置した場合を、左図は、有色気体吸着物質を配置しなかった場合を示す（原本はカラー図）。
【図２】実施例1において、有色気体吸着物質を添加して15分後の状態を示す。右図は、有色気体吸着物質を配置した場合を、左図は、有色気体吸着物質を配置しなかった場合を示す（原本はカラー図）。
【図３】実施例1において、有色気体吸着物質を添加して30分後の状態を示す。右図は、有色気体吸着物質を配置した場合を、左図は、有色気体吸着物質を配置しなかった場合を示す（原本はカラー図）。
【図４】実施例1において、有色気体吸着物質を添加して60分後の状態を示す。右図は、有色気体吸着物質を配置した場合を、左図は、有色気体吸着物質を配置しなかった場合を示す（原本はカラー図）。
【図１】
0004675045.tif 000002
【図２】
0004675045.tif 000003
【図３】
0004675045.tif 000004
【図４】
0004675045.tif 000005